(57)【要約】【課題】産前および産後の授乳期間中のバストのボリューム変化に柔軟に追従して、バストやアンダーバストをいずれの方向にも圧迫することのない心地よいフィット感を付与する。【解決手段】カップ部を表カップと裏カップの２層構造とし、前記表カップは縦横斜の全方向へ高伸縮性を有する繊維素材からなると共に、前記裏カップも縦横斜の全方向へ高伸縮性を有する弾性樹脂シートからなり、前記表カップと裏カップとは前側上端縁は互いに縫着せずに離反させると共に、脇側上端縁は互いに縫着している。【選択図】図２
2008115487.tif 000002
【特許請求の範囲】
【請求項１】
カップ部を表カップと裏カップの２層構造とし、
前記表カップは縦横斜の全方向へ高伸縮性を有する繊維素材からなると共に、前記裏カップも縦横斜の全方向へ高伸縮性を有する弾性樹脂シートからなり、
前記表カップと裏カップの前側上端縁は互いに縫着せずに離反させると共に、脇側上端縁は互いに縫着していることを特徴とするマタニティブラジャー。
【請求項２】
前記表カップ外側の前側上端縁に沿って高伸縮性弾性部材を縫着して端縁部始末を行うと共に、裏カップの前側上端縁は高伸縮性弾性部材を用いたパイピングにより端縁部始末を行い、かつ、
前記表カップと裏カップは上下カップ部から構成し、該表カップの上下接ぎ合せ部はカップ布同士の片倒し接ぎまたは割り接ぎにより縫着すると共に、該裏カップの上下接ぎ合せ部は前記弾性樹脂シートの断面同士をつき合わせた状態で高伸縮性弾性部材を介して縫着し、該表、裏カップの縫着部を含めてカップ部に伸び止め部を存在させずにカップ部全体を全方向に伸縮する構成としている請求項１に記載のマタニティブラジャー。
【請求項３】
前記表カップと裏カップの下側周縁は、前記表カップと同一の伸縮性素材からなる土台部と、ワイヤーを介さずに伸縮性テープを用いて縫着し、該土台部は前中心布および脇布からなると共に、脇布は延在させて背面部を形成しており、
前記カップ部、土台部及び背面部のすべてが全方向に伸縮性を有する構成としている請求項１または請求項２に記載のマタニティブラジャー。
【発明の詳細な説明】
【技術分野】
【０００１】
本発明は、マタニティブラジャーに関するものであり、詳しくは、産前および産後におけるバストに圧迫感を与えることなく、ボリューム変化に柔軟に対応させるものである。
【背景技術】
【０００２】
妊娠初期から出産に至るまでの妊娠期間中には、乳腺の発達に伴いバストのボリュームが増大し、通常、妊娠前に比べて、ブラジャーカップサイズで２カップ程度大きくなることが知られている。また、出産後においても、出産直後と授乳期間の経過に応じてバストのボリュームが変化することが知られている。
【０００３】
この産前、産後のバスト変化に対応できるブラジャーとして、本出願人は、図５に示すように、伸縮特性を乳頭方向（図中の矢印方向）とした伸縮性素材からなる３片の構成部材２、３、４を縫合することによって左右カップ部５を構成し、カップ部５の下縁湾曲部６に沿って、芯線の外周に複数本の針金状の細線を整列させて螺旋状に捲回したワイヤー（図示せず）を設けた産前用ワイヤーブラジャー１を提案している（特公平４−４７０４１号公報参照）。
【０００４】
前記産前用ワイヤーブラジャー１は、カップ部５を構成する３片の構成部材２、３、４の伸縮特性を乳頭方向としているため、乳頭を起点として放射状に伸縮特性が出現し、バストの高さ方向への膨出変化に追従させることができるものである。
【０００５】
【特許文献１】特公平４−４７０４１号公報
【発明の開示】
【発明が解決しようとする課題】
【０００６】
前記特許文献１のブラジャー１は、バストの高さ方向への変化に追従できる利点を有するが、産前、産後はバストの高さ方向のみならず、バスト基底部方向も含めてバスト全体が大きく膨らみ、乳頭方向のみの伸縮性だけではバストの著しいボリューム変化に対応しきれない場合がある。また、３片の構成部材２、３、４の縫着部分やワイヤーが伸び止めとなって伸縮が抑制されやすいことから、バストやアンダーバストをいずれの方向にも圧迫することなく、産前および授乳期間の産後の全期間にわたって心地よいフィット感を付与する点ではさらに改善の余地が残されている。さらに、また、前記産前用ワイヤーブラジャー１は裏打がなされておらず、バストの安定性や保形性の面でも改良の余地がある。
【０００７】
本発明は前記問題に鑑みてなされたものであり、産前および産後の授乳期間中のバストのボリューム変化に柔軟に追従して、バストやアンダーバストをいずれの方向にも圧迫することなく心地よいフィット感を付与することができると共に、大きく重くなるバストを安定状態で保護し、バストの保形性にも優れたマタニティブラジャーの提供を課題としている。
【課題を解決するための手段】
【０００８】
前記課題を解決するため、本発明は、カップ部を表カップと裏カップの２層構造とし、
前記表カップは縦横斜の全方向へ高伸縮性を有する繊維素材からなると共に、前記裏カップも縦横斜の全方向へ高伸縮性を有する弾性樹脂シートからなり、
前記表カップと裏カップの前側上端縁は互いに縫着せずに離反させると共に、脇側上端縁は互いに縫着していることを特徴とするマタニティブラジャーを提供している。
【０００９】
前記のように、カップ部を表カップと裏カップの２層構造とすることにより、妊娠、出産により大きく膨出するバストを安定状態で保護することができると共に、バストの下垂を防止し保形性を高めることができる。
また、前記２層構造のカップ部を構成する表カップを、縦横斜の全方向へ高伸縮性を有する繊維素材から形成すると共に、裏カップも縦横斜の全方向へ高伸縮性を有する弾性樹脂シートから形成することにより、カップ部を２層構造としても伸びが抑制されることなく、産前および産後の授乳期間中のバストの著しいボリューム変化に柔軟に追従することができ、バストをいずれの方向にも圧迫しない構成とすることができる。
即ち、前記構成とすることにより、乳腺の発達を阻害することなく、産前および産後の授乳期間中の全期間にわたって心地よいフィット感を付与することができると共に、前記したようなバストの安定性、保形性も保持できる。
【００１０】
前記表カップおよび裏カップを構成する素材は、共に、縦横斜全方向に２倍以上の伸度を有していることが好ましく、特に、２倍以上３倍以下の伸度を有していることが好ましい。
前記のように、表カップおよび裏カップを構成する素材の伸度が全方向に２倍以上３倍以下であることが好ましいのは、全方向への伸度が２倍未満であると、産前および産後の授乳期間中のバストのボリューム変化に追従できなくなるおそれがある一方、全方向への伸度が３倍を越えると、バストへの追従性は良くても、バストの安定性や保形性が損なわれるおそれがあることによる。
【００１１】
表カップに用いられる繊維素材としては、前記のように全方向へ高伸縮性を有した素材であれば特に限定されるものではないが、例えば、スパンデックス糸を用いたストレッチ天竺や、ツーウエイトリコットなどの伸縮性編物素材が好適に用いられる。
また、裏カップに用いられる弾性樹脂シートも、前記のように全方向へ高伸縮性を有した素材であれば特に限定されるものではないが、例えば、伸縮性のよいシート状ウレタンフォームや不織布、或いは、ポリウレタンなどの高弾性糸から編成された厚手シート状の丸編素材（ダンボールニット）などが好適に用いられる。
さらに、前記裏カップの厚みとしては、１．５ｍｍ〜３ｍｍ程度とすることが好ましい。前記裏カップの厚みを１．５ｍｍ〜３ｍｍ程度とすることが好ましいのは、裏カップの厚みが１．５ｍｍ未満であると、バストの保護や安定性、保形性の面で不十分となるおそれがある一方、厚みが３ｍｍを越えると反発力が増加して、バストのボリューム変化に対する追従性が悪化するおそれがあることによる。
【００１２】
また、前記のように、表カップと裏カップとは前側上端縁を互いに縫着せずに離反させる構成とすることにより、縫着による伸縮性低下を回避でき、バストのボリューム変化に一層追従させやすくすることができる。
なお、前記のように表カップと裏カップとを縫着せずに離反させた部分では、肌に直接接触する裏カップの方が表カップより伸びが大きくなる。したがって、表カップの上辺が裏カップの上辺より０．３ｃｍ〜１．５ｃｍ、好ましくは０．５ｃｍ〜１．０ｃｍ程度上方に位置するようにして、着用時に裏カップが表カップの上辺からはみ出さないようにしておくことが好ましい。
【００１３】
一方、前記のように、表カップと裏カップの脇側上端縁は互いに縫着させることにより、脇側でバストをサポートし、安定感を与えることができる。
なお、表カップと裏カップの脇側上端縁の縫着は、例えば、裏カップの脇側上端縁を表カップの脇側上端縁の布で包み込み、包み込んだ状態の肌側の脇側上端縁に、背面部上端縁から連続させたストレッチテープを重ねて縫着することにより、脇側上端縁の伸縮性が縫着によって低下することなく、良好な追従性を維持させることができる。
【００１４】
また、表カップと裏カップの下側周縁は、前記表カップと同一の伸縮性素材からなる土台部と、ワイヤーを介さずに伸縮性テープを用いて縫着し、該土台部は前中心布および脇布からなると共に、脇布は延在させて背面部を形成している。
産前および産後の授乳期間中、バストのボリューム変化に伴い、アンダーバストも通常５ｃｍ程度大きくなるが、土台部および土台部に連続する背面部を前記表カップ部と同一の伸縮性素材から形成することによって、アンダーバストの変化にも柔軟に追従し胃部等への圧迫を防止することができる。また、表カップと裏カップの下側周縁と土台部を、ワイヤーを介さずに縫着するので、バストの形状変化に追従させやすく、また、該縫着部の位置が下側にずれてきた場合にもワイヤーがアンダーバストを圧迫することがないため、心地よい着用感が得られる。
前記表カップおよび裏カップの下側周縁と土台部との縫着は、例えば、前記表カップおよび裏カップの下側周縁と土台部の上辺との縫い代部分に、前記伸縮性テープとして伸縮性を有するトリコット等のバイヤステープを重ね、二本針縫いなどによって縫着することにより、前記縫着部分にも伸縮性を持たせた構造とすることが好ましい。
【００１５】
このように、カップ部、土台部および背面部のすべてが全方向に伸縮性を有する構成としているため、産前および産後の授乳期間中のバストやアンダーバストの変化に柔軟に追従し、バストやアンダーバストをいずれの方向にも圧迫しない心地よいフィット感を付与することができる。
【００１６】
さらに、前記表カップ外側の前側上端縁に沿って高伸縮性弾性部材を縫着して端縁部始末を行うと共に、裏カップの前側上端縁は高伸縮性弾性部材を用いたパイピングにより端縁部始末を行い、かつ、前記表カップと裏カップは上下カップ部から構成し、該表カップの上下接ぎ合せ部はカップ布同士の片倒し接ぎまたは割り接ぎにより縫着すると共に、該裏カップの上下接ぎ合せ部は前記弾性樹脂シートの断面同士をつき合わせた状態で高伸縮性弾性部材を介して縫着し、該表、裏カップの縫着部を含めてカップ部に伸び止め部を存在させずにカップ部全体を全方向に伸縮する構成としていることが好ましい。
【００１７】
前記のように、表カップおよび裏カップの前側上端縁の端縁部始末に、高伸縮性弾性部材を用いているため、端縁部始末による伸縮性低下を防止することができる。
前記表カップ外側の前側上端縁に沿わせる高伸縮性弾性部材には、例えば伸縮性を２倍以上有するストレッチテープやストレッチレースなどの伸縮性織編物部材が用いられる。
また、前記裏カップの前側上端縁に用いられるパイピング用の高伸縮性弾性部材には、伸縮性を２倍以上有するストレッチテープや、前記表カップや土台部および背面部に使用する素材をテープ状に裁断したものなどの伸縮性織編物部材が用いられる。
【００１８】
また、前記のように、表カップと裏カップを上下カップ部から構成することにより、表、裏カップをバストにフィットさせやすい立体形状とすることができ、特に、上下カップ部の縫着ライン上の凸部に乳頭を位置させることで、発達する乳頭を押さえつけず安定した状態でバストを保護することができる。
【００１９】
さらに、前記のように、裏カップの上下カップ部の上下接ぎ合せ部は、前記弾性樹脂シートの断面同士をつき合わせた状態で高伸縮性弾性部材を介して縫着されるため、上下カップ部の縫着による伸縮性低下を防止することができる。
上下カップ部の縫着は、まず、裁断された弾性樹脂シートからなる上カップの下端縁と下カップ上端縁の断面同士をつき合わせ、その上に前記高伸縮性弾性部材をあてがって三点千鳥縫いなどの伸縮性を持たせるステッチにより縫着することにより、該上下カップの縫着部の伸縮性をより高く保持することができる。
前記裏カップの上下接ぎ合せ部に使用する高伸縮性弾性部材には、例えば、伸縮性を２倍以上有する肌触りのよいストレッチテープや、前記表カップに使用する素材をテープ状に裁断したものなどの伸縮性織編物部材が用いられる。
【００２０】
さらに、前記のように、表カップも、裏カップと同様に上下カップ部から構成し、乳頭位置を通るラインで上下カップを互いに縫着することが好ましい。この際、上下カップ部の接ぎ合せ部は、例えば、上下カップ部の縫い代を下側へ倒した片倒し接ぎとして、三点千鳥縫いや平二本縫いなどの伸縮性を持たせるステッチで縫着することが好ましく、また、上下カップ部の縫い代を上下に倒した割り接ぎとしてもよい。
【００２１】
このように、表、裏カップの縫着部を含めてカップ部に伸び止め部を存在させずにカップ部全体を全方向に伸縮する構成としているので、バストの著しいボリューム変化に対しても、きわめて柔軟に追従することができ、妊娠初期から出産、さらには授乳期に至るまで長期間にわたって着用することが可能となる。
【発明の効果】
【００２２】
前述したように、本発明によれば、カップ部を表カップと裏カップの２層構造とすることにより、妊娠、出産により大きく膨出するバストを安定状態で保護することができると共に、バストの下垂を防止し保形性を高めることができる。
また、前記２層構造のカップ部を構成する表カップを、縦横斜の全方向へ高伸縮性を有する繊維素材から形成すると共に、裏カップも縦横斜の全方向へ高伸縮性を有する弾性樹脂シートから形成することにより、カップ部を２層構造としても伸びが抑制されることなく、産前および産後の授乳期間中のバストの著しいボリューム変化に柔軟に追従することができ、バストをいずれの方向にも圧迫しない構成とすることができる。
【００２３】
また、前記のように、表カップと裏カップとは前側上端縁を互いに縫着せずに離反させる構成とすることにより、縫着による伸縮性低下を回避でき、バストのボリューム変化に一層追従させやすくすることができる。
一方、表カップと裏カップの脇側上端縁は互いに縫着させることにより、脇側でバストをサポートし、安定感を与えることができる。
【００２４】
また、前記のように、土台部および土台部に連続する背面部を前記表カップと同一の伸縮性素材から形成することによって、バストのボリューム変化に伴うアンダーバストの変化にも柔軟に追従し胃部等への圧迫を防止することができる。
さらに、前記のように、表カップと裏カップの下側周縁と土台部を、ワイヤーを介さずに縫着するので、バストの形状変化に追従させやすく、また、該縫着部の位置が下側にずれてきた場合にもワイヤーがアンダーバストを圧迫することがないため、心地よい着用感が得られる。
【００２５】
このように、本発明によれば、カップ部、土台部および背面部のすべてが全方向に伸縮性を有する構成としているため、産前および産後の授乳期間中のバストやアンダーバストの変化に柔軟に追従し、バストやアンダーバストをいずれの方向にも圧迫しない心地よいフィット感を付与することができる。
【発明を実施するための最良の形態】
【００２６】
以下、本発明の実施形態を図面を参照して説明する。
図１乃至図４は本発明の実施形態のマタニティブラジャー１０およびその一部を示しており、図１はマタニティブラジャー１０の正面図、図２はその背面図、図３は裏カップ（外面側）の概略図、図４は表カップ（内面側）の概略図である。
【００２７】
図１、図２に示すように、マタニティブラジャー１０は、バストを覆う左右のカップ部１１、バージスライン（バスト基底部）に沿ってカップ部１１より下部を覆う土台部１２、土台部１２を延在させてなる左右の背面部１３および左右の肩紐１４からなり、カップ部１１は表カップ１５と裏カップ１６との２層構造としている。また、表カップ１５を上カップ部１５ａと下カップ部１５ｂとから構成すると共に、裏カップ１６も、上カップ部１６ａと下カップ部１６ｂとから構成している。
【００２８】
前記上下カップ部１５ａ、１５ｂからなる表カップ１５は、縦横斜の全方向へ２倍以上の伸度を有する高伸縮性の繊維素材から形成し、本実施形態においては、スパンデックス糸を綿糸とナイロン糸でカバーリングしたカバーリングヤーンを用いたストレッチ天竺（全方向への伸度が２．５倍）を用いている。
また、上下カップ部１６ａ、１６ｂからなる裏カップ１６も、縦横斜の全方向へ２倍以上の伸度を有する高伸縮性の弾性樹脂シートから形成し、本実施形態においては、ウレタンフォームの両面に高伸縮性のトリコットをラミネートした弾性樹脂シート（厚さが２ｍｍで全方向への伸度が２．５倍）を用いている。
また、前中心布１２Ｘおよび脇布１２Ｙからなる土台部１２および脇布１２Ｙを延在させて形成した左右の背面部１３には、表カップ１５と同一の素材を用いている。
【００２９】
図２、３に示すように、裏カップ１６を構成する下カップ部１６ｂは、乳頭位置を上端位置として上方に湾曲する上端縁１６ｂ−１と、バージスラインに沿って下方に湾曲する下端縁１６ｂ−２とで囲まれた形状を有している。
また、裏カップ１６を構成する上カップ部１６ａは、脇側上端縁１６ａ−１と、前側上端縁１６ａ−２と、前記下カップ部１６ｂの上端縁１６ｂ−１に対応した曲線よりなる下端縁１６ａ−３とで囲まれた形状を有している。
【００３０】
裏カップ１６は、前記形状に裁断した上カップ部１６ａの下端縁１６ａ−３と下カップ部１６ｂの上端縁１６ｂ−１の断面同士をつき合わせ、肌側（内面側）の該付き合わせ部分に、高伸縮性弾性部材である前記表カップや土台部および背面部に使用する素材をテープ状に裁断したもの１７をあてがい三点千鳥縫いによって縫着することにより上下接ぎ合せ部１６Ｘを形成し、一体化している。
【００３１】
また、図１、図４に示すように、表カップ１５を構成する下カップ部１５ｂも、乳頭位置を上端位置として上方に湾曲する上端縁１５ｂ−１と、バージスラインに沿って下方に湾曲する下端縁１５ｂ−２とで囲まれた形状を有し、表カップ１５を構成する上カップ部１５ａも、脇側上端縁１５ａ−１と、前側上端縁１５ａ−２と、前記下カップ部１５ｂの上端縁１５ｂ−１に対応した曲線よりなる下端縁１５ａ−３とで囲まれた形状を有している。
表カップ１５は、前記形状に裁断した上カップ部１５ａの下端縁１５ａ−３と下カップ部１５ｂの上端縁１５ｂ−１の縫い代部分１５ｃを下側へ倒した片倒しとして、平二本縫いで縫着することにより上下接ぎ合せ部１５Ｘを形成し、一体化している（図４）。
【００３２】
表カップ１５と裏カップ１６の下側周縁である下端縁１５ｂ−２、１６ｂ−２は、土台部１２の上辺１２ａとワイヤーを介さずに縫着している。具体的には、表カップ１５および裏カップ１６の下端縁１５ｂ−２、１６ｂ−２と土台部１２の上端縁１２ａとの縫い代部分に、図２に示すような伸縮性を有するトリコットのバイヤステープ１８を重ね、二本針縫いによって縫着することにより、該縫着部分に伸縮性を持たせた構造としている。
【００３３】
また、表カップ１５と裏カップ１６の前側上端縁１５ａ−２、１６ａ−２は、互いに縫着せずに離反させており、表カップ１５の前側上端縁１５ａ−２が裏カップ１６ａの前側上端縁１６ａ−２より０．５〜１．０ｃｍ程度上方に位置するようにしている。
また、表カップ１５外側の前側上端縁１５ａ−２に沿って、高伸縮性弾性部材であるストレッチレース１９を縫着して端縁部始末をしていると共に、裏カップ１６の前側上端縁１６ａ−２は高伸縮性弾性部材であるストレッチテープ２０を用いたパイピングにより端縁部始末をしている。
【００３４】
一方、表カップ１５と裏カップ１６の脇側上端縁１５ａ−１、１６ａ−１は、互いに縫着している。具体的には、裏カップ１６の脇側上端縁１６ａ−１を表カップ１５の脇側上端縁１５ａ−１の布で包み込み、包み込んだ状態の肌側の脇側上端縁に、背面部１３の上端縁１３ａ端末から連続させたトリコットのストレッチテープ２１を重ね合わせて縫着している。
また、背面部１３の下端縁１３ｂおよびそれに連続する土台部１２の下端縁１２ｂにも、同様のストレッチテープ２２を縫着して、背面部１３および土台部１２の伸縮性を低下させない構成としている。
【００３５】
このように、表カップ１５と裏カップ１６とからなるカップ部１１、土台部１２および背面部１３のすべてが全方向に伸縮性を有する構成とし、カップ部１１には、表カップ１５、裏カップ１６の縫着部を含めて伸び止め部を存在させずに、カップ部１１全体を全方向に伸縮する構成としている。
【００３６】
また、背面部１３にはバストのボリューム変化に合わせて４段階に調節可能なホック２３を設けている。
さらに、肩紐１４にはストレッチテープを用い、肩紐１４のカップ部側先端と、表カップ１５の脇側上端とに、２段階に調節可能なホック２４を取り付け、表カップ１５と裏カップ１６からなるカップ部１１が前開きできる構成としている。
また、母乳パッドやガーゼ等を裏カップ１６の内面側に保持するための保持用テープ２５を裏カップ１６の上下方向に設け、その上端２５ａを肩紐１４先端のホック２４に連結している。
【００３７】
前記のように、カップ部１１を表カップ１５と裏カップ１６の２層構造とすることにより、妊娠、出産により大きく膨出するバストを安定状態で保護することができると共に、バストの下垂を防止し保形性を高めることができる。
また、前記２層構造のカップ部１１を構成する表カップ１５を、縦横斜の全方向へ高伸縮性を有する繊維素材（全方向への伸度が２．５倍であるストレッチ天竺）から形成すると共に、裏カップ１６も縦横斜の全方向へ高伸縮性を有する弾性樹脂シート（全方向への伸度が２．５倍であるウレタンフォーム）から形成することにより、カップ部１１を２層構造としても伸びが抑制されることなく、産前および産後の授乳期間中のバストの著しいボリューム変化に柔軟に追従することができ、バストをいずれの方向にも圧迫しない構成とすることができる。
【００３８】
さらに、前記のように、表カップ１５と裏カップ１６とは前側上端縁１５ａ−２、１６ａ−２を互いに縫着せずに離反させる構成とすることにより、縫着による伸縮性低下を回避でき、バストのボリューム変化に一層追従させやすくすることができる。
一方、表カップ１５と裏カップ１６の脇側上端縁１５ａ−１、１６ａ−１は互いに縫着させることにより、脇側でバストをサポートし、安定感を与えることができる。
【００３９】
また、前記のように、土台部１２および土台部１２に連続する背面部１３を表カップ１５と同一の伸縮性素材から形成することによって、バストのボリューム変化に伴うアンダーバストの変化にも柔軟に追従し胃部等への圧迫を防止することができる。
さらに、前記のように、表カップ１５と裏カップ１６の下側周縁である下縁端１５ｂ−２、１６ｂ−２と土台部１２を、ワイヤーを介さずに縫着するので、バストの形状変化に追従させやすく、また、該縫着部の位置が下側にずれてきた場合にもワイヤーがアンダーバストを圧迫することがないため、心地よい着用感が得られる。
【００４０】
前記のように、表カップ１５の前側上端縁１５ａ−２および裏カップ１６の前側上端縁１６ａ−２の端縁部始末に、高伸縮性弾性部材であるストレッチレース１９およびストレッチテープ２０を用いているため、端縁部始末による伸縮性低下を防止することができる。
【００４１】
また、前記のように、表カップ１５および裏カップ１６を上下カップ部１５ａ、１５ｂおよび１６ａ、１６ｂから構成することにより、表カップ１５および裏カップ１６をバストにフィットさせやすい立体形状とすることができ、特に、上下カップ部１５ａ、１５ｂおよび１６ａ、１６ｂの縫着ライン１５ｂ−１（１５ａ−３）および１６ｂ−１（１６ａ−３）が乳頭位置を通るようにすることにより、発達する乳頭を押さえつけず安定した状態でバストを保護することができる。
特に、裏カップ１６の上下カップ部１６ａ、１６ｂは、前記のように、上カップ部１６ａの下端縁１６ａ−３と下カップ部１６ｂの上端縁１６ｂ−１の断面同士をつき合わせた状態で、表カップ１５や土台部１２、背面部１３に使用する素材をテープ状に裁断した高伸縮性弾性部材１７を介して縫着されるため、上下カップ部の縫着による伸縮性低下を防止することができる。
【００４２】
このように、カップ部１１、土台部１２および背面部１３のすべてが全方向に伸縮性を有する構成としているため、妊娠期間中および産後の授乳期間中のバストやアンダーバストの変化に柔軟に追従し、バストやアンダーバストをいずれの方向にも圧迫しない心地よいフィット感を付与することができる。
特に、表カップ１５、裏カップ１６の縫着部を含めてカップ部１１に伸び止め部を存在させずにカップ部１１全体を全方向に伸縮する構成としているので、バストの著しいボリューム変化に対しても、きわめて柔軟に追従することができ、妊娠初期から出産、授乳期に至るまで長期間にわたって着用することが可能となる。
【図面の簡単な説明】
【００４３】
【図１】本実施形態におけるマタニティブラジャーの正面図である。
【図２】本実施形態におけるマタニティブラジャーの背面図である。
【図３】裏カップの外面側（表カップ側）の概略斜視図である。
【図４】表カップの内面側（裏カップ側）の概略斜視図である。
【図５】従来例を示す図である。
【符号の説明】
【００４４】
１０  マタニティブラジャー
１１  カップ部
１２  土台部
１２ａ  上端縁
１２ｂ  下端縁
１２Ｘ  前中心布
１２Ｙ  脇布
１３  背面部
１３ａ  上端縁
１３ｂ  下端縁
１４  肩紐
１５  表カップ
１５ａ  上カップ部
１５ａ−１  脇側上端縁
１５ａ−２  前側上端縁
１５ａ−３  下端縁
１５ｂ  下カップ部
１５ｂ−１  上端縁
１５ｂ−２  下端縁
１５ｃ  縫い代
１５Ｘ  上下接ぎ合せ部  
１６  裏カップ
１６ａ  上カップ部
１６ａ−１  脇側上端縁
１６ａ−２  前側上端縁
１６ａ−３  下端縁
１６ｂ  下カップ部
１６ｂ−１  上端縁
１６ｂ−２  下端縁
１６Ｘ  上下接ぎ合せ部
１７  高伸縮性弾性部材
１８  バイヤステープ
１９  ストレッチレース
２０、２１、２２  ストレッチテープ
２３、２４  ホック
２５  保持用テープ
【図１】
2008115487.tif 000003
【図２】
2008115487.tif 000004
【図３】
2008115487.tif 000005
【図４】
2008115487.tif 000006
【図５】
2008115487.tif 000007